(57)【要約】【課題】オットマンを座部の下方に収納する作業に手間がかからないマッサージ機を提供する。【解決手段】マッサージ機は、人体の大腿を支持する座部を有するマッサージ機本体と、人体の下腿を収容する凹部を有するオットマンと、を備える。左右方向に沿って延びる回転軸回りに回動可能に前記オットマンが前記マッサージ機本体に取り付けられる。前記凹部は、人体の下腿が前記凹部に収容されているときに人体のかかとが載置される第１載置部と、人体の下腿が前記凹部に収容されているときに人体のつま先が載置される第２載置部と、を有する。前記オットマンが前方から後方に向かって回転して、前記第１載置部が前記第２載置部より上方に位置した状態で前記オットマンを前記座部の下方に収納できる。【選択図】図５
2019208565.tif 000002
【特許請求の範囲】
【請求項１】
人体の大腿を支持する座部を有するマッサージ機本体と、
人体の下腿を収容する凹部を有するオットマンと、
を備えるマッサージ機であって、
左右方向に沿って延びる回転軸回りに回動可能に前記オットマンが前記マッサージ機本体に取り付けられ、
前記凹部は、人体の下腿が前記凹部に収容されているときに人体のかかとが載置される第１載置部と、人体の下腿が前記凹部に収容されているときに人体のつま先が載置される第２載置部と、を有し、
前記オットマンが前方から後方に向かって回転して、前記第１載置部が前記第２載置部より上方に位置した状態で前記オットマンを前記座部の下方に収納できる、
マッサージ機。
【請求項２】
前記オットマンは、側方視で直角三角形状であり、
前記オットマンが前記座部の下方に収納されている状態で、前記直角三角形状の直角部が前記オットマンの後端となる、
請求項１に記載のマッサージ機。
【請求項３】
前記オットマンが前記座部の下方に収納されている状態で、前記直角三角形状の斜辺部が前記マッサージ機の設置面に対して略垂直に延びる、
請求項２に記載のマッサージ機。
【請求項４】
前記直角三角形状の２つの鋭角部の一方であって、前記オットマンが前記座部の下方に収納されている状態で前記直角部より下方に位置する第１鋭角部に、面取り部が設けられている、
請求項２又は請求項３に記載のマッサージ機。
【請求項５】
前記直角部を挟む前記直角三角形状の２つの辺部の一方であって、前記第１載置部から前記第２載置部に向かう方向に略平行な第１辺部が前記マッサージ機の設置面に対して略平行である状態で、前記面取り部は前記直角部から離れるほど前記設置面から離れる、
請求項４に記載のマッサージ機。
【請求項６】
前記オットマンを回転させる駆動源であるモータを備え、
前記凹部は、人体の左下腿を収容する第１凹部と、人体の右下腿を収容する第２凹部と、を含み、
前記オットマンが前記座部の下方に収納されている状態で、前記モータの少なくとも一部は、前記第１凹部の中央側側壁と前記第２凹部の中央側側壁とに挟まれる空間に位置する、
請求項１〜５のいずれか一項に記載のマッサージ機。
【請求項７】
前記オットマンは、膨張して人体の下腿を支持するエアバッグを有し、
前記マッサージ機は、前記エアバッグの膨張収縮を制御する制御部を備え、
前記制御部は、前記オットマンが前方から後方に向かって回転して、前記第１載置部が前記第２載置部より上方に位置した状態で前記エアバッグを膨張させる動作モードを備える、
請求項１〜６のいずれか一項に記載のマッサージ機。
【発明の詳細な説明】
【技術分野】
【０００１】
本発明は、オットマンを有するマッサージ機に関する。
【背景技術】
【０００２】
特許文献１に開示されているマッサージ機では、オットマンが一面側に人体の下腿を収容する凹部を有し他面側に人体の下腿を載置可能な載置部を有し、オットマンが座部側に設けた支持部に対して左右方向に延びる態様で設けられる回転支軸にて回転可能に支持される。
【０００３】
特許文献１に開示されているマッサージ機では、オットマンを回転させることでオットマンの凹部を座部前方に露出させるマッサージ状態とオットマンの載置部を座部前方に露出させる載置可能状態とが変更可能である。なお、載置可能状態は、人体の下腿がオットマンの凹部に収容されることを回避する場合やマッサージ機全体の意匠性を向上させる場合等に選択される。
【先行技術文献】
【特許文献】
【０００４】
【特許文献１】特開２０１１−０６７３５５号公報
【発明の概要】
【発明が解決しようとする課題】
【０００５】
しかしながら、特許文献１に開示されているマッサージ機では、マッサージ状態から載置可能状態に変更するためにオットマンを略１８０°回転させる必要があるため、オットマンを座部の下方に収納する作業に手間がかかっていた。
【０００６】
本発明は、上記の状況に鑑み、オットマンを座部の下方に収納する作業に手間がかからないマッサージ機を提供することを目的とする。
【課題を解決するための手段】
【０００７】
本明細書中に開示されているマッサージ機は、人体の大腿を支持する座部を有するマッサージ機本体と、人体の下腿を収容する凹部を有するオットマンと、を備えるマッサージ機であって、左右方向に沿って延びる回転軸回りに回動可能に前記オットマンが前記マッサージ機本体に取り付けられ、前記凹部は、人体の下腿が前記凹部に収容されているときに人体のかかとが載置される第１載置部と、人体の下腿が前記凹部に収容されているときに人体のつま先が載置される第２載置部と、を有し、前記オットマンが前方から後方に向かって回転して、前記第１載置部が前記第２載置部より上方に位置した状態で前記オットマンを前記座部の下方に収納できる構成（第１の構成）である。
【０００８】
上記第１の構成のマッサージ機において、前記オットマンは、側方視で直角三角形状であり、前記オットマンが前記座部の下方に収納されている状態で、前記直角三角形状の直角部が前記オットマンの後端となる構成（第２の構成）にしてもよい。
【０００９】
上記第２の構成のマッサージ機において、前記オットマンが前記座部の下方に収納されている状態で、前記直角三角形状の斜辺部が前記マッサージ機の設置面に対して略垂直に延びる構成（第３の構成）にしてもよい。
【００１０】
上記第２又は第３の構成のマッサージ機において、前記直角三角形状の２つの鋭角部の一方であって、前記オットマンが前記座部の下方に収納されている状態で前記直角部より下方に位置する第１鋭角部に、面取り部が設けられている構成（第４の構成）にしてもよい。
【００１１】
上記第４の構成のマッサージ機において、前記直角部を挟む前記直角三角形状の２つの辺部の一方であって、前記第１載置部から前記第２載置部に向かう方向に略平行な第１辺部が前記マッサージ機の設置面に対して略平行である状態で、前記面取り部は前記直角部から離れるほど前記設置面から離れる構成（第５の構成）にしてもよい。
【００１２】
上記第１〜第５いずれかの構成のマッサージ機において、前記オットマンを回転させる駆動源であるモータを備え、前記凹部は、人体の左下腿を収容する第１凹部と、人体の右下腿を収容する第２凹部と、を含み、前記オットマンが前記座部の下方に収納されている状態で、前記モータの少なくとも一部は、前記第１凹部の中央側側壁と前記第２凹部の中央側側壁とに挟まれる空間に位置する構成（第６の構成）にしてもよい。
【００１３】
上記第１〜第６いずれかの構成のマッサージ機において、前記オットマンは、膨張して人体の下腿を支持するエアバッグを有し、前記マッサージ機は、前記エアバッグの膨張収縮を制御する制御部を備え、前記制御部は、前記オットマンが前方から後方に向かって回転して、前記第１載置部が前記第２載置部より上方に位置した状態で前記エアバッグを膨張させる動作モードを備える構成（第７の構成）にしてもよい。
【発明の効果】
【００１４】
本明細書中に開示されているマッサージ機によれば、オットマンを座部の下方に収納する作業に手間がかからない。
【図面の簡単な説明】
【００１５】
【図１】一実施例に係るマッサージ機の斜視図
【図２】オットマンの上面図
【図３】一実施例に係るマッサージユニットの左側面図
【図４】一実施例に係るマッサージユニットの左側面図
【図５】一実施例に係るマッサージユニットの左側面図
【図６】オットマン用アクチュエータの左側面図
【図７】オットマン及びオットマン用アクチュエータの後方斜視図
【図８】オットマンの背面図
【発明を実施するための形態】
【００１６】
以下、本発明の例示的な実施形態について、図面を参照しながら詳細に説明する。
【００１７】
図１は一実施例に係るマッサージ機１の斜視図である。以下の説明において、背凭れ部３が倒れていない状態のマッサージ機１に着座した被施療者から見て前側（正面側）を「前側」といい、背凭れ部３が倒れていない状態のマッサージ機１に着座した被施療者から見て後側（背面側）を「後側」という。また、背凭れ部３が倒れていない状態のマッサージ機１に着座した被施療者から見て上側（頭側）を「上側」といい、背凭れ部３が倒れていない状態のマッサージ機１に着座した被施療者から見て下側（脚側）を「下側」という。また、マッサージ機１に着座した被施療者から見て右側を「右側」といい、マッサージ機１に着座した被施療者から見て左側を「左側」という。
【００１８】
マッサージ機１は、座部２、背凭れ部３、基台部４、前腕施療部５、及びオットマン６を備える。座部２、背凭れ部３、基台部４、及び前腕施療部５がマッサージ機本体に該当する。
【００１９】
座部２は、被施療者の臀部及び太腿を支持する。座部２の左端及び右端には太腿用エアバッグＡＢ１が設けられる。太腿用エアバッグＡＢ１の膨縮によって被施療者の太腿が施療される。
【００２０】
背凭れ部３は、被施療者の肩、腰、及び背中を支持する。背凭れ部３は、左右方向に沿って延びるリクライニング回転軸回りに回動可能に、座部２の後端に取り付けられている。
【００２１】
背凭れ部３は、施療子を有するマッサージユニット（不図示）を内蔵する。マッサージユニットは、背凭れ部３に内蔵されるガイドレール（不図示）によって案内されて背凭れ部３内で昇降する。なお、ガイドレールを座部２の後部にまで延長し、マッサージユニットが座部２及び背凭れ部３内で昇降するようにしてもよい。
【００２２】
背凭れ部３の上部左端及び上部右端には上腕用エアバッグＡＢ２が設けられる。上腕用エアバッグＡＢ２の膨縮によって被施療者の上腕が施療される。
【００２３】
基台部４は、座部２の下方に設けられる金属フレームであり、座部２を支持する。基台部４の内部には、背凭れ部用アクチュエータ（図１において不図示）と、オットマン用アクチュエータ（図１において不図示）と、制御ユニットＣＵ１と、が設けられる。制御ユニットＣＵ１は、操作部（不図示）から出力される信号に基づいて各種モータ及び各種エアバッグ等を制御する。
【００２４】
前腕施療部５は、座部２の左右両側且つ座部２の上方に立設して設けられる。前腕施療部５には、前腕用エアバッグＡＢ３が設けられる。前腕用エアバッグＡＢ３の膨縮によって被施療者の前腕が施療される。
【００２５】
オットマン６は、被施療者の下腿を収容する。オットマン６は、被施療者の左下腿を収容する第１凹部６１と、被施療者の左下腿を収容する第１凹部６１と、被施療者の右下腿を収容する第２凹部６２と、を有する。第１凹部６１及び第２凹部６２の各側壁には下腿用エアバッグＡＢ４が設けられる。下腿用エアバッグＡＢ４の膨縮によって被施療者の下腿が施療される。
【００２６】
オットマン６は、左右方向に沿って延びる回転軸ＡＸ１回りに回動可能にマッサージ機本体に取り付けられる。具体的には、オットマン６は、左右方向に沿って延びる回転軸ＡＸ１回りに回動可能に基台部４上部の前端に取り付けられる。
【００２７】
図２は、オットマン６の上面図である。第１載置部６１１及び第２載置部６１２が第１凹部６１の底部に設けられる。
【００２８】
被施療者の左下腿が第１凹部６１に収容されているときに被施療者の左足のかかとが第１載置部６１１に載置される。被施療者の左下腿が第１凹部６１に収容されているときに被施療者の左足のつま先が第２載置部６１２に載置される。
【００２９】
被施療者の右下腿が第２凹部６２に収容されているときに被施療者の右足のかかとが第１載置部６２１に載置される。被施療者の右下腿が第２凹部６２に収容されているときに被施療者の右足のつま先が第２載置部６２２に載置される。
【００３０】
制御ユニットＣＵ１は、マッサージ機本体に対するオットマン６の位置関係を操作部から出力される信号に基づいて可変する。制御ユニットＣＵ１の制御によって実現することができるマッサージ機本体に対するオットマン６の位置関係として、例えば図３〜図５に示す位置関係がある。なお、図３〜図５においてマッサージ機１の側面カバー等の図示を省略している。
【００３１】
図３に示す位置関係では、第１載置部６１１及び６２１と第２載置部６１２及び６２２とが略同一高さである状態でオットマン６が座部２の下方に収納されていない。
【００３２】
マッサージ機１の左側から視てオットマン６を時計回りに回転させる、すなわちオットマン６を後方から前方に向かって回転させることで、図３に示す位置関係から図４に示す位置関係に変更することができる。図４に示す位置関係では、第２載置部６１２及び６２２が第１載置部６１１及び６２１より上方に位置した状態でオットマン６が座部２の下方に収納されていない。
【００３３】
マッサージ機１の左側から視てオットマン６を反時計回りに回転させる、すなわちオットマン６を前方から後方に向かって回転させることで、図３に示す位置関係から図５に示す位置関係に変更することができる。図５に示す位置関係では、第１載置部６１１及び６２１が第２載置部６１２及び６２２より上方に位置した状態でオットマン６が座部２の下方に収納されている。図５に示す位置関係では、オットマン６は利用されない。すなわち、図５に示す位置関係では、オットマン６は人体の下腿を収容しない。
【００３４】
マッサージ機１では、オットマン６を略１８０°回転させることなくオットマン６を収納することができる。すなわち、オットマン６を少し回転させるだけでオットマン６を収納する。したがって、マッサージ機１では、オットマン６を座部２の下方に収納する作業に手間がかからない。
【００３５】
また、オットマン６の側面視形状は特に限定されないが、本実施形態のように直角三角形状であって、図５に示すようにオットマン６が座部２の下方に収納されている状態で直角三角形状の直角部６３がオットマン６の後端となるになることが好ましい。これにより、オットマン６が座部２の下方に収納されている状態におけるオットマン６のマッサージ機本体からのはみ出し量を少なくすることができる。
【００３６】
なお、オットマン６の側面視形状は、オットマン６から下腿用エアバッグＡＢ４を除いた部分の概略側面視形状とする。エアバッグは膨らんでいない状態であれば変形可能であり、本実施形態とは異なり第１凹部６１内及び第２凹部６２に収めることもできるからである。
【００３７】
オットマン６が座部２の下方に収納されている状態における意匠性向上の観点から、図５に示すようにオットマン６が座部２の下方に収納されている状態で直角三角形状の斜辺部６４がマッサージ機１の設置面に対して略垂直に延びることが好ましい。
【００３８】
また、オットマン６が座部２の下方に収納されている状態で直角部６３より下方に位置する鋭角部６５に面取り部６６を設けることが好ましい。これにより、オットマン６の底面を過度に上方に設けなくても、図３に示す位置関係から図５に示す位置関係に変更するときにオットマン６がマッサージ機１の設置面に接触することを防止できる。
【００３９】
面取り部６６の具体的な形状としては、例えば、図３に示す状態すなわち第１載置部６１１及び６２１から第２載置部６１２及び６２２に向かう方向に略平行な辺部６７がマッサージ機１の設置面に対して略平行である状態で、面取り部６６が直角部６３から離れるほどマッサージ機１の設置面から離れるような形状にすればよい。
【００４０】
図６は、オットマン用アクチュエータ７の左側面図である。オットマン用アクチュエータ７は、ロッド部材７１と、ロッド部材７１の後部を収容する筒状部材７２と、オットマン用モータ７３と、を有する。ロッド部材７１の前端７１１は、図７に示すようにオットマン６の背面に設けられた連結部６８に回転可能な形態で接続される。なお、連結部６８はオットマン６の左右中央から左側に偏った位置に設けられる。オットマン用アクチュエータ７の右側に背凭れ部用アクチュエータ（図７において不図示）が設けられ、オットマン用アクチュエータ７が基台部４の左右中央から左側に偏った位置に設けられるためである。
【００４１】
オットマン用アクチュエータ７は、オットマン用モータ７３の回転により、筒状部材７２からのロッド部材７１の突出量を変更することができる。筒状部材７２からのロッド部材７１の突出量が増加すると、マッサージ機１の左側から視てオットマン６が時計回りに回転する。逆に、筒状部材７２からのロッド部材７１の突出量が減少すると、マッサージ機１の左側から視てオットマン６が反時計回りに回転する。
【００４２】
また、図５に示す位置関係では、オットマン用モータ７３の少なくとも一部は、図８に示す第１凹部６１の中央側側壁ＳＷ１と第２凹部６２の中央側側壁ＳＷ２とに挟まれる空間ＳＰ１に位置することが好ましい。これにより、オットマン用モータ７３を比較的前方に配置しても、オットマン用モータ７３がマッサージ機１の左側から視て反時計回りのオットマン６の回転を阻害しないので、設計の自由度が高くなる。
【００４３】
上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【００４４】
例えば上記実施形態においては、第１載置部６１１及び６２１が第２載置部６１２及び６２２より上方に位置した状態ではオットマン６は利用されておらず下腿用エアバッグＡＢ４は膨張しないが、上記実施形態とは異なり、第１載置部６１１及び６２１が第２載置部６１２及び６２２より上方に位置した状態で制御ユニットＣＵ１の制御によって下腿用エアバッグＡＢ４が膨張するようにしてもよい。この場合、複数の下腿用エアバッグＡＢ４の全てが膨張してもよく一部のみが膨張してもよい。また、下腿用エアバッグＡＢ４が膨張しているときに太腿用エアバッグＡＢ１も膨張してもよい。なお、下腿用エアバッグＡＢ４を膨張させるときのオットマン６の位置は、図５に示す位置でもよく、図３に示す位置と図５に示す位置との中間位置でもよい。
【００４５】
第１載置部６１１及び６２１が第２載置部６１２及び６２２より上方に位置した状態で制御ユニットＣＵ１の制御によって下腿用エアバッグＡＢ４が膨張すると、オットマン６に被施療者の下腿が収容されていればオットマン６に収容されている下腿と対になっている大腿の表側をストレッチすることができる。なお、太腿用エアバッグＡＢ１も膨張させることにより被施療者の大腿が前方にずれることを抑制することができるので、ストレッチ効果を高めることができる。
【符号の説明】
【００４６】
１  マッサージ機
２  座部
６  オットマン
６１  第１凹部
６２  第２凹部
６３  直角部
６４  斜辺部
６５  鋭角部
６６  面取り部
６７  辺部
６８  連結部
７３  オットマン用モータ
ＡＢ４  下腿用エアバッグ
ＡＸ１  回転軸
ＣＵ１  制御ユニット
ＳＰ１  空間
ＳＷ１、ＳＷ２  中央側側壁
【図１】
2019208565.tif 000003
【図２】
2019208565.tif 000004
【図３】
2019208565.tif 000005
【図４】
2019208565.tif 000006
【図５】
2019208565.tif 000007
【図６】
2019208565.tif 000008
【図７】
2019208565.tif 000009
【図８】
2019208565.tif 000010